(57)【要約】  本発明は、無線通信基地局共用化装置において、第１の信号合成/分配器は、メインシステムのデュプレクサと第１のポートに接続され、第１のポートを介して受信された信号を第２のポート及び第３のポートに分配し、第２のポート及び第３のポートを介して受信された信号を該当位相により合成して第１のポート又は第４のポートに提供する。第２の信号合成分配器は、追加システムのデュプレクサと第５のポートに接続され、アンテナと第８のポートに接続され、第５のポートを介して受信された信号を第６のポート及び第７のポートに分配し、第６のポート及び第７のポートを介して受信された信号を該当位相により合成して第５のポート又は第８のポートに提供する。可変フィルタは、第１及び第２の信号合成/分配器間の信号経路に設置される。
2009528759.tif 000002
【特許請求の範囲】
【請求項１】
メインシステムと追加システムを一つのアンテナを用いて共用化するための無線通信基地局共用化装置であって、
前記メインシステムの送受信信号ラインと第１のポートを介して接続され、前記第１のポートを介して受信された信号を分配して第２のポート及び第３のポートに出力し、前記第２のポート及び第３のポートを介して受信された信号を該当位相により合成して前記第１のポート又は第４のポートに出力する第１の信号合成/分配器と、
前記追加システムの送受信信号ラインと第５のポートを介して接続され、前記アンテナと第８のポートを介して接続され、前記第５のポートを介して受信された信号を分配して第６のポート及び第７のポートに出力し、前記第６のポート及び第７のポートを介して受信された信号を該当位相により合成して前記第５のポート又は前記第８のポートに出力する第２の信号合成/分配器と、
前記第１の信号合成/分配器の第２のポートと前記第２の信号合成/分配器の第６のポートとの間の信号経路に設置され、予め定められた周波数帯域をフィルタリングして外部制御信号によってフィルタリング帯域を可変的に遷移する第１の可変フィルタ部と、
前記第１の信号合成/分配器の第３のポートと前記第２の信号合成/分配器の第７のポートとの間の信号経路に設置され、予め定められた周波数帯域をフィルタリングして外部制御信号によってフィルタリング帯域を可変的に遷移する第２の可変フィルタ部と、
を含むことを特徴とする無線通信基地局共用化装置。
【請求項２】
前記第１及び第２の信号合成/分配器はハイブリッドカプラで構成され、
前記第１及び第２の可変フィルタ部は前記メインシステムの送受信周波数帯域を通過させるデュプレクサで構成されることを特徴とする請求項１に記載の無線通信基地局共用化装置。
【請求項３】
前記第１及び第２の信号合成/分配器はマジックＴで構成され、
前記第１及び第２の可変フィルタ部は前記メインシステムの送受信周波数帯域を通過させるデュプレクサで構成され、
前記第１の可変フィルタ部と前記第１の信号合成/分配器の第２のポートとの間の信号経路に設けられる第１の移相器と、
前記第１の可変フィルタ部と前記第２の信号合成/分配器の第６のポートとの間の信号経路に設けられる第２の移相器と、
をさらに含むことを特徴とする請求項１に記載の無線通信基地局共用化装置。
【請求項４】
前記第１の信号合成/分配器の第４のポートは、アイソレーション機能を有するようにロード抵抗が提供されることを特徴とする請求項１乃至３のいずれか１項に記載の無線通信基地局共用化装置。
【請求項５】
前記第１及び第２の信号合成/分配器はハイブリッドカプラで構成され、
前記第１及び第２の可変フィルタ部は前記メインシステムの送信周波数帯域を通過させる帯域通過フィルタで構成され、
前記追加システム用デュプレクサの受信部から受信された信号を分配する分配器と、
前記分配器から受信された一側の分配信号をフィルタリングして前記第１の信号合成/分配器の第４のポートに提供する受信フィルタと、
をさらに含むことを特徴とする請求項１に記載の無線通信基地局共用化装置。
【請求項６】
前記第１及び第２の信号合成/分配器はマジックＴで構成され、
前記第１及び第２の可変フィルタ部は前記メインシステムの送信周波数帯域を通過させるデュプレクサで構成され、
前記第１の可変フィルタ部と前記第１の信号合成/分配器の第２のポートとの間の信号経路に設けられる第１の移相器と、
前記第１の可変フィルタ部と前記第２の信号合成/分配器の第６のポートとの間の信号経路に設けられる第２の移相器と、
前記追加システム用デュプレクサの受信部から受信された信号を分配する分配器と、
前記分配器から受信された一側の分配信号をフィルタリングして前記第１の信号合成/分配器の第４のポートに提供する受信フィルタと、
をさらに含むことを特徴とする請求項１に記載の無線通信基地局共用化装置。
【請求項７】
前記受信フィルタと前記第１の信号合成/分配器の第４のポートの信号経路にアイソレーション機能を有するようにサーキュレータをさらに含むことを特徴とする請求項５又は６に記載の無線通信基地局共用化装置。
【請求項８】
前記第１及び第２の信号合成/分配器はハイブリッドカプラで構成され、
前記第１及び第２の可変フィルタ部は前記メインシステムの送信周波数帯域を通過させる帯域通過フィルタで構成され、
前記追加システム用デュプレクサの受信部から受信された信号を分配し、一側の分配信号を前記第１の信号合成/分配器の第４のポートに提供する分配器をさらに含むことを特徴とする請求項１に記載の無線通信基地局共用化装置。
【請求項９】
前記第１及び第２の信号合成/分配器はマジックＴで構成され、
前記第１及び第２の可変フィルタ部は前記メインシステムの送信周波数帯域を通過させる帯域通過フィルタで構成され、
前記第１の可変フィルタ部と前記第１の信号合成/分配器の第２のポートとの間の信号経路に設けられる第１の移相器と、
前記第１の可変フィルタ部と前記第２の信号合成/分配器の第６のポートとの間の信号経路に設けられる第２の移相器と、
前記追加システム用デュプレクサの受信部から受信された信号を分配し、一側の分配信号を前記第１の信号合成/分配器の第４のポートに提供する分配器と、
をさらに含むことを特徴とする請求項１に記載の無線通信基地局共用化装置。
【請求項１０】
前記第１及び第２の信号合成/分配器はマジックＴで構成され、
前記第１及び第２の可変フィルタ部は前記メインシステムの送信周波数帯域を通過させる帯域通過フィルタで構成され、
前記第２の可変フィルタ部と前記第１の信号合成/分配器の第３のポートとの間の信号経路に設けられる第１の移相器と、
前記第１の可変フィルタ部と前記第２の信号合成/分配器の第６のポートとの間の信号経路に設けられる第２の移相器と、
前記追加システム用デュプレクサの受信部から受信された信号を分配する分配器と、
前記分配器から受信された一側の分配信号をフィルタリングして前記第１の信号合成/分配器の第４のポートに提供する受信フィルタと、
をさらに含むことを特徴とする請求項１に記載の無線通信基地局共用化装置。
【請求項１１】
前記受信フィルタと前記第１の信号合成/分配器の第４のポートの信号経路にアイソレーション機能を有するようにサーキュレータをさらに含むことを特徴とする請求項１０に記載の無線通信基地局共用化装置。
【請求項１２】
メインシステムと追加システムを一つのアンテナを用いて共用化するための無線通信基地局共用化装置であって、
前記メインシステム用デュプレクサの送受信信号ラインと第４のポートを介して接続され、前記第４のポートを介して受信された信号を分配して同位相で第２のポート及び第３のポートに出力し、前記第２のポート及び第３のポートを介して受信された信号を該当位相により合成して前記第１のポート又は第４のポートに出力する第１のマジックＴと、
前記追加システム用デュプレクサの送受信信号ラインと第５のポートを介して接続され、前記アンテナと第８のポートを介して接続され、前記第５のポートを介して受信された信号を分配して同位相で第６のポート及び第７のポートに出力し、前記第６のポート及び第７のポートを介して受信された信号を該当位相によって合成して前記第５のポート又は前記第８のポートに出力する第２のマジックＴと、
前記第１のマジックＴの第２のポートと前記第２のマジックＴの第６のポートとの間の信号経路に設置され、前記メインシステムの送信周波数帯域を通過させ、外部制御信号によってフィルタリング帯域を可変的に遷移する第１の可変帯域通過フィルタと、
前記第１のマジックＴの第３のポートと前記第２の信号合成/分配器の第７のポートとの間の信号経路に設置され、前記メインシステムの送信周波数帯域を通過させ、外部制御信号によってフィルタリング帯域を可変的に遷移する第２の可変帯域通過フィルタと、
前記第２の可変帯域通過フィルタと前記第１のマジックＴの第３のポートとの間の信号経路に設けられる第１の移相器と、
前記第１の可変帯域通過フィルタと前記第２のマジックＴの第６のポートとの間の信号経路に設けられる第２の移相器と、
前記追加システム用デュプレクサの受信部から受信された信号を分配する分配器と、
前記分配器から受信された一側の分配信号をフィルタリングする受信フィルタと、
前記受信フィルタからフィルタリングされた信号を前記第１のマジックＴの第１のポートに提供するサーキュレータと、
を含むことを特徴とする無線通信基地局共用化装置。
【請求項１３】
メインシステムと追加システムを一つのアンテナを用いて共用化するための無線通信基地局共用化装置であって、
前記メインシステムの送受信信号ラインと第１のポートを介して接続され、前記第１のポートを介して受信された信号を分配して第２のポート及び第３のポートに出力し、前記第２のポート及び第３のポートを介して受信された信号を該当位相により合成して前記第１のポート又は第４のポートに出力する第１の信号合成/分配器と、
前記追加システムの送受信信号ラインと第５のポートを介して接続され、前記第５のポートを介して受信された信号を分配して第６及び第７のポートに出力し、前記第６及び第７のポートを介して受信された信号を該当位相により合成して前記第５のポート又は前記第８のポートに出力する第２の信号合成/分配器と、
前記第１の信号合成/分配器の第２のポートと前記第２の信号合成/分配器の第６のポートとの間の信号経路に設置され、予め定められた周波数帯域をフィルタリングして外部制御信号によってフィルタリング帯域を可変的に遷移する第１の可変フィルタ部と、
前記第１の信号合成/分配器の第３のポートと前記第２の信号合成/分配器の第７のポートとの間の信号経路に設置され、予め定められた周波数帯域をフィルタリングして外部制御信号によってフィルタリング帯域を可変的に遷移する第２の可変フィルタ部と、
前記第２の信号合成分配器の第８のポートと送信部が接続され、該当送信部から提供された送信信号をアンテナに提供するデュプレクサと、
前記デュプレクサの受信部の出力信号を分配して各々前記メインシステムと前記追加システムに出力する分配器と、
を含むことを特徴とする無線通信基地局共用化装置。
【請求項１４】
前記第１及び第２の信号合成/分配器はハイブリッドカプラで構成されることを特徴とする請求項１３に記載の無線通信基地局共用化装置。
【請求項１５】
前記第１及び第２の信号合成/分配器はマジックＴで構成され、
前記第１の可変フィルタ部と前記第１の信号合成/分配器の第２のポートとの間の信号経路に設けられる第１の移相器と、
前記第１の可変フィルタ部と前記第２の信号合成/分配器の第６のポートとの間の信号経路に設けられる第２の移相器と、
をさらに含むことを特徴とする請求項１３に記載の無線通信基地局共用化装置。
【発明の詳細な説明】
【技術分野】
【０００１】
本発明は無線通信システムに関するもので、特に異なる周波数帯域のサービスを提供する無線通信システムを構成する場合にアンテナ及び給電ケーブル(feeder  cable)を共用(sharing)するための無線通信基地局の共用化装置に関する。
【背景技術】
【０００２】
図１Ａ、図１Ｂ、及び図１Ｃに示すように、セルラー(cellular)、ＣＤＭＡ、ＰＣＳ、及びＧＳＭ移動通信システムとその他の無線通信システムでは、一般的に複数の供給者(provider)は、供給者ごとに個別的に独立した基地局１０，１２を設置してサービスを提供している。
【０００３】
したがって、基地局の個別設置による重複過剰投資と隣接した地域に多くの基地局が不必要に設置され、これら基地局の相互干渉によって電波品質の低下のような問題点が発生している。
【０００４】
最近では、ある供給者が他の供給者を合併してその供給者の周波数帯域を統合管理しつつサービスを提供しなければならない状況が発生することもある。
【０００５】
このような場合に、費用節減のために既存のシステムと新たに追加されるシステムを単一化して共用化する必要性があった。
【０００６】
外国においては、ある供給者は、地域によって異なる帯域の周波数が割り当てられた場合もある。この場合、地域別に異なる周波数帯域で動作する基地局システムを備えなければならない。
【０００７】
このような問題点を解決するために、基地局の共用化に関する技術が開発されている。その技術の中で、従来から実施されている技術は、図１Ｃに示すように、従来の基地局システム(例えば、システムＡ１０）と追加される基地局システム(例えば、システムＢ１２）の周波数帯域を含む新たなクアドロプレクサ(Quadroplexer)１３２を用いて基地局アンテナと給電ケーブルとを共用するものである。
【０００８】
この技術は、２つのシステムがアンテナ及び給電ケーブルを共用することができるクアドロプレクサを新たに製造しなければならないという問題点があった。
【０００９】
また、地域ごとに供給者に割り当てられる周波数帯域が異なる場合には、多くの種類のクアドロプレクサを新たに製造しなければならないという問題点もあった。
【００１０】
しかも、アンテナ及び給電ケーブルを共用する中に他の追加システムの周波数帯域に変わる場合にも、新たなクアドロプレクサの製造が必要であるという問題点があった。
【００１１】
また、複数のシステムが追加される場合に、複数の新たなクアドロプレクサを製造しなければならないという問題点があった。
【００１２】
上記したように、従来の技術では既存の基地局システムに追加基地局システムを設置する際に、アンテナ及び給電ケーブルを共用化するために新たなクアドロプレクサを製造しなければならない。したがって、それによる製造コスト及び管理コストが増加するという問題点があった。
【発明の開示】
【発明が解決しようとする課題】
【００１３】
したがって、上記のような従来技術の問題点を解決するために案出されたもので、本発明の目的は、既存の基地局システムに新たな基地局システムを追加しつつ、追加される基地局システムの周波数帯域に関係なく、基地局アンテナ及び給電ケーブルを容易に共用化することができる無線通信基地局の共用化装置を提供することにある。
【００１４】
本発明の他の目的は、既存の基地局システム及び追加される基地局システムの周波数帯域が変わっても、別途の装備を追加することなく、基地局アンテナ及び給電ケーブルを共用することができる無線通信基地局の共用化装置を提供することにある。
【００１５】
本発明のもう一つの目的は、追加される基地局システムが複数個である場合でも、アンテナ及び給電ケーブルを容易に共用することができる無線通信基地局の共用化装置を提供することにある。
【００１６】
さらに、本発明の目的は、一つの無線通信基地局で相互に異なる運用システム(operation  system)が特定の周波数帯域を別々に使用することを希望する場合に、これらを容易に共用化することができる無線通信基地局の共用化装置を提供することにある。
【課題を解決するための手段】
【００１７】
上記のような目的を達成するために、本発明は、メインシステムと追加システムを一つのアンテナを用いて共用化するための無線通信基地局共用化装置であって、メインシステムの送受信信号ラインと第１のポートを介して接続され、第１のポートを介して受信された信号を分配して第２のポート及び第３のポートに出力し、第２のポート及び第３のポートを介して受信された信号を該当位相により合成して第１のポート又は第４のポートに出力する第１の信号合成/分配器と、追加システムの送受信信号ラインと第５のポートを介して接続され、アンテナと第８のポートを介して接続され、第５のポートを介して受信された信号を分配して第６のポート及び第７のポートに出力し、第６のポート及び第７のポートを介して受信された信号を該当位相により合成して第５のポート又は第８のポートに出力する第２の信号合成/分配器と、第１の信号合成/分配器の第２のポートと第２の信号合成/分配器の第６のポートとの間の信号経路に設置され、予め定められた周波数帯域をフィルタリングして外部制御信号によってフィルタリング帯域を可変的に遷移する第１の可変フィルタ部と、第１の信号合成/分配器の第３のポートと第２の信号合成/分配器の第７のポートとの間の信号経路に設置され、予め定められた周波数帯域をフィルタリングして外部制御信号によってフィルタリング帯域を可変的に遷移する第２の可変フィルタ部とを含むことを特徴とする。
【発明の効果】
【００１８】
本発明による無線通信基地局共用化装置は、メイン基地局システムに異なる周波数帯域の基地局システムを追加しつつ、アンテナ及び給電ケーブルを容易に共用することができる効果がある。
【００１９】
また、追加されるシステムの周波数帯域に関係なく、アンテナ及び給電ケーブルを共用することができる効果がある。
【００２０】
さらに、無線通信基地局共用化装置は、複数のシステムが追加されても簡単に実現することができる。
【００２１】
また、メインシステムと追加システムの周波数帯域にかかわらず対応することができる効果がある。
【００２２】
無線通信基地局共用化装置は、相互に異なる運用システムに特定の周波数帯域を分割して割り当てることができる。
【００２３】
特に、周波数帯域の可変フィルタが適用された場合に、ひとつのモデルが多様な周波数組み合わせに対応することができる。そのため、異なるモデルを開発する必要がない効果かある。
【００２４】
さらに、製品の納期を短縮することができ、多くのモデルを生産する必要がないため、管理コストを低減することができる。また、大量生産が可能になるため、製造コストを低減することもできる。
【００２５】
無線通信基地局共用化装置は、フィールドに設置された状態で周波数帯域の変化が可能であるため、供給者間又は地域間の周波数変化に対しても即刻対応することができる。従来の技術に比べて、除去及び再設置過程が必要でないため、そのコストを節減することができる。
【発明を実施するための最良の形態】
【００２６】
以下、本発明の望ましい実施形態を添付の図面を参照して詳細に説明する。
【００２７】
下記に、具体的な構成素子のような特定事項を説明するが、これは、本発明のより全般的な理解のために提供されることであって、本発明の範囲内で所定の変形や変更が可能であることは、当該技術分野における通常の知識を持つ者には自明である。
【００２８】
図２は、本発明の第１実施形態による無線通信基地局共用化装置を示すブロック構成図である。図２に示すように、本発明の第１実施形態による無線通信基地局共用化(sharing)装置２０は、第３のデュプレクサ２２２を含むメインシステム２２と、第４のデュプレクサ２４２を含む追加システム２４とのアンテナを共用化するための構成を有する。
【００２９】
この基地局共用化装置２０は、第１のポートを介してメインシステム２２から受信される送信信号を分配し、相互に異なる位相差で出力する第１のハイブリッドカプラ(hybrid  coupler)２０２と、第１のハイブリッドカプラ２０２の第２のポートに接続され、メインシステム２２の送受信信号ＲＸ１，ＴＸ１をフィルタリングして出力する第１の可変デュプレクサ(variable  duplexer)２０６と、第１のハイブリッドカプラ２０２の第３のポートに接続され、メインシステム２２の送受信信号ＲＸ１，ＴＸ１をフィルタリングして出力する第２の可変デュプレクサ２０８と、第１及び第２の可変デュプレクサ２０６，２０８からの出力信号を第６及び第７のポートを介して受信して合成し、第５のポートが追加システムに接続される第２のハイブリッドカプラ２０４とを含む。
【００３０】
アンテナは、第２のハイブリッドカプラ２０４の第８のポートに接続される。
【００３１】
第１及び第２の可変デュプレクサ２０６，２０８は、メインシステム２２の送受信周波数帯域のみをフィルタリングするためのフィルタを含む。
【００３２】
メインシステム２２が追加システム２４と位置を変えると、第１及び第２の可変デュプレクサ２０６，２０８は、追加システム２４の送受信周波数帯域のみをフィルタリングするためのフィルタを含むことができる。
【００３３】
第３及び第４のデュプレクサ２２２，２４２は、全帯域(full-band)デュプレクサである。
【００３４】
図３を参照して、ハイブリッドカプラの概略的な動作について説明する。
【００３５】
ハイブリッドカプラの特徴は、特定の信号電力を部分的に抽出する機能と、一つの信号電力を２つ以上の特定の信号電力に分配する機能である。本発明では、特定の信号電力を分配する機能について説明する。第１のポート介して受信された信号は、電力が半分に分けられて第２及び第３のポートに出力される。上記信号は、第４のポートには出力されない。これら出力信号は、９０度の位相差を有する。その反対に、９０度の位相差を有する信号が第２及び第３のポートを介して受信されると、その信号は合成されて出力される。
【００３６】
より詳細には、第２のポートを介して受信された信号は９０度の位相を、第３のポートを介して受信された信号は１８０度の位相をそれぞれ有する場合に、これら信号は、合成されて第１のポートを介して出力され、第４のポートを介しては出力されない。
【００３７】
一方、第２のポートを介して受信された信号は１８０度の位相を、第３のポートを介して受信された信号は９０度の位相を、それぞれ有する場合に、これら２つの信号は合成されて第４のポートを介して出力され、第1のポートには出力されない。このように信号電力を分配/合成する機能を有する部品は、ハイブリッドリング(hybrid  ring)、ブランチラインディレクショナルカプラ(branch-line  directional  coupler)、３ｄＢディレクショナルカプラ、マジック(magic)Ｔである。
【００３８】
＜メインシステムの送信過程＞
第１のハイブリッドカプラ２０２は、メインシステム２２からの送信信号ＴＸ１が第３のデュプレクサ２２２を通過して第１のポートを介して受信されると、その信号を第２及び第３のポートに分配し、その位相は、第２のポートには９０度、第３のポートには１８０度に可変される。すなわち、上記信号は、９０度の位相差で出力される。第２及び第３のポートから出力される信号は、メインシステム２２の送信信号ＴＸ１のみを通過させる第１及び第２の可変デュプレクサ２０６，２０８を介して第２のハイブリッドカプラ２０４の第６及び第７のポートに入力される。
【００３９】
第２のハイブリッドカプラ２０４は、第６及び第７のポートを介して受信された信号を合成して第８のポートを介して出力する。この信号は、アンテナを介して放射される。
【００４０】
＜メインシステムの受信過程＞
第２のハイブリッドカプラ２０４は、アンテナから第８のポートを介して受信された信号を第６及び第７のポートに分配する。このとき、その位相は、第７のポートには９０度、第６のポートには１８０度に可変される。すなわち、上記信号は、９０度の位相差で出力される。
【００４１】
第６及び第７のポートから出力される信号は、第１及び第２の可変デュプレクサ２０６，２０８を介して第１のハイブリッドカプラ２０２の第２及び第３のポートに受信される。
【００４２】
第１のハイブリッドカプラ２０２は、第２及び第３のポートを介して受信された信号を合成して第１のポートに出力する。その出力信号は、第３のデュプレクサ２２２を介してメインシステム２２に受信される。
【００４３】
＜追加システムの送信過程＞
追加システム２４からの送信信号ＴＸ２は、第４のデュプレクサ２４２を介して第２のハイブリッドカプラ２０４の第５のポートに受信される。
【００４４】
この受信された信号は、第６及び第７のポートに分配される。このとき、その位相は、第６のポートには９０度、第７のポートには１８０度に可変される。すなわち、上記信号は、９０度の位相差で出力される。
【００４５】
第６及び第７のポートを介して出力される信号は、第１及び第２の可変デュプレクサ２０６，２０８から全反射されて第６及び第７のポートにフィードバックされる。
【００４６】
これらフィードバックされた信号は、合成されて第８のポートを通じて出力され、アンテナを介して放射される。
【００４７】
＜追加システムの受信過程＞
第２のハイブリッドカプラ２０４は、アンテナから第８のポートを介して受信された信号を第６及び第７のポートに分配する。このとき、その位相は、第６のポートには１８０度、第７のポートには９０度に可変される。すなわち、上記信号は、９０度の位相差で出力される。
【００４８】
第６及び第７のポートから出力された信号は、第１及び第２の可変デュプレクサ２０６，２０８を通過せずに全反射されて第６及び第７のポートにフィードバックされる。
【００４９】
このフィードバックされた信号は、合成されて第５のポートを介して出力される。この信号は、第４のデュプレクサ２４２を介して追加システム２４の受信端に受信される。
【００５０】
一方、メインシステム２２の送信信号ＴＸ１が第１のハイブリッドカプラ２０２を介して出力される場合に、理論的には反射が発生されない。しかしながら、実際には、第４のポートを介して出力されるいくらかの送信信号ＴＸ１が存在する。これを防止するために、アイソレーション機能を有するように、ロード抵抗(load  resistor)ＴＥＲＭが第４のポートに提供される。
【００５１】
周波数帯域で、第１及び第２の可変デュプレクサ２０６，２０８を固定デュプレクサの代わりに可変デュプレクサで構成した理由は、一つの基地局システムで、該当サービス周波数帯域を分割し、メインシステムで該当送受信周波数帯域をすべて使用するか、あるいはメインシステム及び追加システムに分割して送受信周波数帯域を使用する場合に応じて適用可能にするためである。
【００５２】
例えば、特定の基地局システムに該当する供給者が運用システム(operation  system)Ａによって加入者にサービスを提供する場合に、より向上したサービスを提供するための運用システムＢが開発されたが、このための追加的な周波数帯域を確保できないので、現在持っている限定された周波数帯域のみでこの運用システムＢを使用しなければならない。
【００５３】
すると、一部加入者は、コスト及び他の理由で既存の運用システムＡによるサービスの提供を継続して希望し、他の加入者は運用システムＢによるサービスの提供を希望すると、該当供給者は、加入者の要求をすべて満足させるために、限定された周波数内で２つの運用システムを実行しつつ、運用システムＡ、Ｂによる各加入者の数に応じて適切に周波数割り当てを変更しなければならない。
【００５４】
図１２Ａ及び図１２Ｂは、周波数帯域を分割してシステムを追加する場合に周波数帯域の可変状態を示す図であって、例えば、送信周波数帯域の可変状態を示す。図１２Ａに示すように、第１及び第２の可変デュプレクサ２０６，２０８は、外部制御信号によってフィルタリング帯域を適切に遷移(shift)させる帯域遷移フィルタ(band-shift  filter)である。初期、例えばメインシステム２２のみが該当基地局共用化装置に設置された場合に、第１及び第２の可変デュプレクサ２０６，２０８は、該当供給者に割り当てられたサービス周波数帯域をフィルタリングするように設定されることができる。
【００５５】
このサービス供給者が追加システム２４を追加し、割り当てられたサービス周波数帯域を分割してメインシステム２２と追加システム２４を通じてサービスを提供しようとする場合に、図１２Ｂに示すように、第１及び第２の可変デュプレクサ２０６，２０８は、外部制御信号によってフィルタリング帯域がメインシステム２２に分割して割り当てられた周波数帯域に該当するように、すなわち追加システム２４に割り当てられた帯域幅部分は含まないように遷移させる。
【００５６】
このように、第１及び第２の可変デュプレクサ２０６，２０８は、周波数帯域の固定デュプレクサでなく、可変デュプレクサで構成されて適切にフィルタリング帯域を遷移させるので、基地局システムで該当サービス周波数帯域を分割してメインシステムに追加システムを追加する場合に適切に対応することができる。
【００５７】
周波数帯域を可変させる周波数帯域可変フィルタに関しては、本出願人によって出願された韓国特許出願第２００４-４６１０３号に詳細に開示されている。
【００５８】
図４は、本発明の第２の実施形態を示すブロック構成図である。図４に示すように、本発明の第２実施形態による無線通信基地局共用化装置４０は、第１のポートを介してメインシステム２２の第３のデュプレクサ２２２から受信される送信信号を分配して相互に異なる位相差で出力する第１のマジックＴ４０２と、第１のマジックＴ４０２の第２のポートから出力される信号を受信してその位相を可変して出力する第１の移相器(phase  shifter)４１２と、第１の移相器４１２の出力信号をフィルタリングして出力する第１の可変デュプレクサ４０６と、第１の可変デュプレクサ４０６の出力信号の位相を可変する第２の移相器４１４と、第１のマジックＴ４０２の第３のポートから出力される信号を受信してフィルタリングする第２の可変デュプレクサ４０８と、第２の移相器４１４と第２の可変デュプレクサ４０８から第６及び第７のポートを介して信号を受信し、これらを合成して出力し、追加システム２４の第４のデュプレクサ２４２に接続される第５のポートを有する第２のマジックＴ４０４とを含む。
【００５９】
アンテナは、第２のマジックＴ４０４の第８のポートに接続される。
【００６０】
第１及び第２の可変デュプレクサ４０６，４０８は、メインシステム２２の送受信周波数帯域のみを通過させるデュプレクサで構成される。
【００６１】
このとき、メインシステム２２と追加システム２４の位置を変えると、第１及び第２のデュプレクサ４０６，４０８は、追加システムの送受信周波数のみを通過させるフィルタを含むことができる。
【００６２】
第３及び第４のデュプレクサ２２２，２４２は、全帯域デュプレクサで構成される。
【００６３】
図５を参照して、マジックＴの基本動作について説明する。
【００６４】
第１のポートを介して受信された信号は、第２及び第３のポートに分配され、１８０度の位相差で出力される。
【００６５】
しかしながら、第４のポートを介して受信された信号は、第２及び第３のポートに分配され、同じ位相を有する。
【００６６】
同一の周波数で１８０度の位相差を有する信号が第２及び第３のポートを介して受信されると、これら信号は合成されて第１のポートに出力され、同位相を有する信号が入力されると、これら信号は合成されて第４のポートに出力される。
【００６７】
＜メインシステムの送信過程＞
メインシステム２２の送信信号ＴＸ１は、第３のデュプレクサ２２２を通じて第１のマジックＴ４０２の第１のポートに入力される。
【００６８】
第１のマジックＴ４０２は、第１のポートに受信された信号を第２及び第３のポートに分配し、これら信号は１８０度の位相差で出力される。
【００６９】
第３のポートから出力された信号は、第２の可変デュプレクサ４０８を通して第２のマジックＴ４０４の第７のポートに入力される。
【００７０】
第２のポートから出力された信号は、第１の移相器４１２を通して９０度位相が変わり、第１の可変デュプレクサ４０６を通過した後に、再び第２の移相器４１４を通して９０度位相が変わってから第２のマジックＴ４０４の第６のポートに入力される。
【００７１】
それによって、第２のマジックＴ４０４の第６及び第７のポートを介して受信される信号は、同一の位相を有する。
【００７２】
このように、第６及び第７のポートに位相が同一の信号が受信されると、これら信号は合成されて第８のポートに出力され、アンテナを介して放射される。
【００７３】
＜メインシステムの受信過程＞
第２のマジックＴ４０４は、アンテナから第８のポートを介して信号を受信し、この信号は同位相で第６及び第７のポートに分配される。
【００７４】
第７のポートを介して出力された信号は、第２の可変デュプレクサ４０８を通して第１のマジックＴ４０２の第３のポートに入力される。
【００７５】
第２のマジックＴ４０４の第６のポートから出力された信号は、第２の移相器４１４を通して９０度位相が変わり、第１の可変デュプレクサ４０６を通過した後に、再び第１の移相器４１２を通じて９０度位相が変わってから第１のマジックＴ４０２の第２のポートに入力される。
【００７６】
それによって、第１のマジックＴ４０２は、１８０度の位相差を有する信号を第２及び第３のポートを介して受信し、これら信号を合成して第１のポートを介して出力する。
【００７７】
第１のポートから出力された信号は、第３のデュプレクサ２２２を介してメインシステム２２の受信端に提供される。
【００７８】
＜追加システムの送信過程＞
追加システム２４から出力される送信信号ＴＸ２は、第４のデュプレクサ２４２を通して第２のマジックＴ４０４の第５のポートに入力される。
【００７９】
第２のマジックＴ４０４は、受信された信号を第６及び第７のポートに分配し、これらは１８０度の位相差で出力される。
【００８０】
第７のポートから出力された信号は、第２の可変デュプレクサ４０８を通過せずに全反射され、再び第７のポートにフィードバックされる。
【００８１】
第６のポートから出力された信号は、第２の移相器４１４を通して９０度位相が可変されるが、第１の可変デュプレクサ４０６から全反射され、再び第２の移相器４１４を通して位相が９０度変わって第６のポートに入力される。
【００８２】
それによって、第２のマジックＴ４０４は、第６及び第７のポートを介して同位相の信号を受信し、それらを合成して第８のポートを介して出力する。この第８のポートから出力される信号は、アンテナを介して放射される。
【００８３】
＜追加システムの受信過程＞
第２のマジックＴ４０４は、アンテナから受信された信号を第８のポートを介して受信し、上記信号を同位相で第６及び第７のポートに分配する。
【００８４】
第７のポートから出力された信号は、第２の可変デュプレクサ４０８を通過せずに全反射されて再び第７のポートにフィードバックされる。
【００８５】
第６のポートから出力された信号は、第２の移相器４１４を通して９０度位相が変わるが、第１の可変デュプレクサ４０６から全反射されて第２の移相器４１４を通して９０度位相が変わってから第６のポートにフィードバックされる。
【００８６】
そのため、第２のマジックＴ４０４は、第６及び第７のポートを介して１８０度の位相差を有する信号を受信し、これら信号を合成して第５のポートを介して出力する。
【００８７】
第５のポートから出力される信号は、第４のデュプレクサ２４２を通して追加システム２４の受信端に提供される。
【００８８】
一方、第１のマジックＴ４０２を通してメインシステム２２から送信信号ＴＸ１を出力する場合に、理論的には信号の反射が発生しない。しかしながら、実際には、第４のポートを介して出力される送信信号ＴＸ１がいくらか存在する。これを防止するために、アイソレーション機能を有するように、ロード抵抗ＴＥＲＭが第４のポートに提供される。
【００８９】
一方、上記の構成と同様に、第１及び第２の可変デュプレクサ４０６，４０８は、周波数帯域固定デュプレクサでなく、可変デュプレクサで構成されて適切にフィルタリング帯域を遷移させるので、基地局システムで該当サービス周波数帯域を分割してメインシステムに追加システムを追加する場合に適切に対応できる。
【００９０】
図６は、本発明の第３実施形態を示すブロック構成図である。図３に示すように、本発明の第３実施形態による無線通信基地局共用化装置６０は、第３のデュプレクサ２２２を含むメインシステム２２と追加システム２６との間のアンテナを共用化するための構成を有する。
【００９１】
この基地局共用化装置６０は、第１のポートを介して第３のデュプレクサ２２２から受信される送信信号及び第４のポートを介してアンテナから受信される受信信号を分配し、これら信号を相互に異なる位相差で出力する第１のハイブリッドカプラ６０２と、第１のハイブリッドカプラ６０２の第２のポートから受信された信号をフィルタリングする第１の可変帯域通過フィルタ６０６と、第１のハイブリッドカプラ６０２の第３のポートから受信された信号をフィルタリングする第２の可変帯域通過フィルタ６０８と、第１及び第２の可変帯域通過フィルタ６０６，６０８からの信号を第６及び第７のポートを介して受信し、これを合成して出力する第２のハイブリッドカプラ６０４と、第２のハイブリッドカプラ６０４の第５のポートと追加システム２６に接続される第４のデュプレクサ６２２と、第４のデュプレクサ６２２内の受信部ＲＸと追加システム２６との間に接続され、第４のデュプレクサ６２２の受信部ＲＸから受信された信号を分配する分配器(distributor)６２４と、分配器６２４の一側から受信された信号をフィルタリングし、第１のハイブリッドカプラ６０２の第４のポートに提供する受信フィルタ６２６とを含む。
【００９２】
アンテナは、第２のハイブリッドカプラ６０４の第８のポートに接続される。
【００９３】
第３及び第４のデュプレクサ２２２，６２２内の受信部ＲＸ及び受信フィルタ６２６は、メインシステム２２及び追加システム２６の受信周波数を通過させるフィルタで構成し、あるいはメインシステム２２及び追加システム２６が属する特定帯域(例えば、ＰＣＳ帯域)の受信周波数帯域を通過するための全帯域受信フィルタで構成することができる。
【００９４】
第１及び第２の可変帯域通過フィルタ６０６，６０８は、メインシステム２２の送信周波数帯域のみを通過させるフィルタで構成される。
【００９５】
メインシステム２２が追加システム２６と位置を変えると、第１及び第２の可変帯域通過フィルタ６０６，６０８は、追加システム２６の送受信周波数のみを通過させるフィルタで構成することも可能である。
【００９６】
第４のデュプレクサ６２２は、追加システム２６に既に設置されている場合には省略することができる。もちろん、この場合に、追加システム２６は分配器６２４を備えなければならない。
【００９７】
以下、無線通信基地局共用化装置の動作について説明する。
【００９８】
＜メインシステムの送信過程＞
第１のハイブリッドカプラ６０２は、メインシステム２２からの送信信号ＴＸ１が第３のデュプレクサ２２２を通過して第１のポートを介して受信されると、その信号を第２及び第３のポートに分配するが、その位相は、第２のポートには９０度、第３のポートには１８０度に可変される。すなわち、上記信号は、９０度の位相差で出力される。
【００９９】
第２及び第３のポートから出力される信号は、メインシステム２２の送信信号ＴＸ１のみを通過させる第１及び第２の可変デュプレクサ６０６，６０８を介して第２のハイブリッドカプラ６０４の第６及び第７のポートに入力される。
【０１００】
第２のハイブリッドカプラ６０４は、第６及び第７のポートを介して受信された信号を合成して第８のポートを介して出力する。この信号は、アンテナを介して放射される。
【０１０１】
＜メインシステムの受信過程＞
第２のハイブリッドカプラ６０４は、アンテナから第８のポートを介して受信された信号を第６及び第７のポートに分配する。このとき、その位相は、第７のポートには９０度、第６のポートには１８０度に可変される。すなわち、上記信号は、９０度の位相差で出力される。
第６及び第７のポートから出力される信号は、第１及び第２の可変デュプレクサ６０６，６０８から全反射されて再び第６及び第７のポートにフィードバックされる。
【０１０２】
第６及び第７のポートに入力された信号は、相互に合成されて第５のポートを介して出力される。
【０１０３】
分配器６２４は、第５のポートから出力される信号を第４のデュプレクサ６２２を通して受信して分配する。
【０１０４】
分配器６２４から出力された信号のうち、一つは追加システム２６に提供され、他の一つは受信フィルタ６２６を通して第１のハイブリッドカプラ６０２の第４のポートに提供される。
【０１０５】
第１のハイブリッドカプラ６０２は、この入力された信号を９０度の位相差で第２及び第３のポートに分配する。
【０１０６】
第２及び第３のポートから出力された信号は、第１及び第２の可変帯域通過フィルタ６０６，６０８から全反射されて第２及び第３のポートにフィードバックされる。
【０１０７】
これらフィードバックされた信号は、相互に合成されて第１のポートを介して出力される。
【０１０８】
第１のポートから出力された信号は、第３のデュプレクサ２２２を通してメインシステム２２に受信される。
【０１０９】
＜追加システムの送信過程＞
追加システム２６からの送信信号ＴＸ２は、第４のデュプレクサ６２２を介して第２のハイブリッドカプラ６０４の第５のポートに受信される。
【０１１０】
この受信された信号は、第６及び第７のポートに分配される。このとき、その位相は、第６のポートには９０度、第７のポートには１８０度に可変される。すなわち、上記信号は、９０度の位相差で出力される。
【０１１１】
第６及び第７のポートを介して出力される信号は、第１及び第２の可変帯域通過フィルタ６０６，６０８から全反射されて第６及び第７のポートにフィードバックされる。
【０１１２】
これらフィードバックされた信号は、合成されて第８のポートに出力され、アンテナを介して放射される。
【０１１３】
＜追加システムの受信過程＞
第２のハイブリッドカプラ６０８は、第８のポートを介してアンテナから受信された信号を第６及び第７のポートに分配する。このとき、その位相は、第６のポートには１８０度、第７のポートには９０度に可変される。すなわち、上記信号は、９０度の位相差で出力される。
【０１１４】
第６及び第７のポートから出力された信号は、第１及び第２の可変帯域通過フィルタ６０６，６０８から全反射されて第６及び第７のポートにフィードバックされる。
【０１１５】
このフィードバックされた信号は、合成されて第５のポートを介して出力される。この信号は、第４のデュプレクサ６２２を介して追加システム２６の受信端に受信される。
【０１１６】
一方、メインシステム２２の送信信号ＴＸ１が第１のハイブリッドカプラ６０２を介して出力される場合に、理論的には信号の反射が発生しない。しかしながら、実際には、第４のポートを介して出力されるいくらかの送信信号ＴＸ１が存在する。これを防止するために、アイソレーション機能を有するように、ロード抵抗ＴＥＲＭが第４のポートに提供される。
【０１１７】
周波数帯域で、第１及び第２の可変帯域通過フィルタ６０６，６０８を固定フィルタの代わりに可変フィルタで構成することは、一つの基地局システムで、該当サービス周波数帯域を分割して、メインシステムで該当送受信周波数帯域をすべて使用するか、あるいはメインシステム及び追加システムに分割して送信周波数帯域を使用する場合に適用可能にするためである。
【０１１８】
図１２Ａに示すように、第１及び第２の可変帯域通過フィルタ６０６，６０８は、外部制御信号によってフィルタリング帯域を適切に遷移させる帯域遷移フィルタである。初期、例えばメインシステム２２のみが該当基地局共用化装置に設置された場合に、該当供給者に割り当てられたサービス周波数帯域をフィルタリングするように設定されることができる。このとき、該当サービス供給者が追加システム２６を追加し、割り当てられたサービス周波数帯域を分割してメインシステム２２と追加システム２６を通じてサービスを提供しようとする場合に、図１２Ｂに示すように、第１及び第２の可変帯域通過フィルタ６０６，６０８は、外部制御信号によってフィルタリング帯域がメインシステム２２に分割して割り当てられた周波数帯域に該当するように、すなわち追加システム２６に割り当てられた帯域幅部分は含まないように遷移させる。
【０１１９】
図８は、本発明の第４実施形態を示すブロック構成図である。図８に示すように、本発明の第４実施形態による無線通信基地局共用化装置８０は、第３のデュプレクサ２２２を含むメインシステム２２と、追加システム２６のアンテナを共用化するための構成を有する。
【０１２０】
この基地局共用化装置８０は、第１のポートを介して第３のデュプレクサ２２２から受信される送信信号を相互に異なる位相で第２及び第３のポートに分配し、第４のポートを介してアンテナから受信される受信信号を同位相で第２及び第３のポートに分配する第１のマジックＴ８０２と、第１のマジックＴ８０２の第２のポートから出力される信号を受信してその位相を可変して出力する第１の移相器８１２と、第１の移相器８１２の出力信号をフィルタリングして出力する第１の可変帯域通過フィルタ８０６と、第１の可変帯域通過フィルタ８０６の出力信号の位相を可変する第２の移相器８１４と、第１のマジックＴ８０２の第３のポートから受信される信号をフィルタリングして出力する第２の可変帯域通過フィルタ８０８と、第２の移相器８１４と第２の可変帯域通過フィルタ８０８から第６及び第７のポートを介して信号を受信し、これらを合成して出力する第２のマジックＴ８０４と、第２のマジックＴ８０４の第５のポートと追加システム２６との間に接続される第４のデュプレクサ８２２と、第４のデュプレクサ８２２内の受信部ＲＸと追加システム２６との間に接続され、第４のデュプレクサ８２２の受信部ＲＸから受信された信号を分配する分配器８２４と、分配器８２４の一側から信号を受信してフィルタリングし、第１のマジックＴ８０２の第４のポートに印加する受信フィルタ８２６とを含む。
【０１２１】
アンテナは、第２のマジックＴ８０４の第８のポートに接続される。
【０１２２】
第３及び第４のデュプレクサ２２２，８２２内の受信部ＲＸ及び受信フィルタ８２６は、メインシステム２２及び追加システム２６の受信周波数を通過させる受信フィルタで構成され、あるいはメインシステム２２及び追加システム２６が属する特定帯域(例えば、ＰＣＳ帯域)の受信周波数帯域を通過するための全帯域受信フィルタで構成されることができる。
【０１２３】
第１及び第２の可変帯域通過フィルタ８０６，８０８は、メインシステム２２の送信周波数帯域のみを通過させるフィルタで構成される。
【０１２４】
メインシステム２２が追加システム２６と位置を変えると、第１及び第２の可変帯域通過フィルタ８０６，８０８は、追加システム２６の送受信周波数のみを通過させるフィルタで構成することも可能である。
【０１２５】
追加システム２６に第４のデュプレクサ８２２のようなフィルタが既に設置されていると、第４のデュプレクサ８２２は省略することができる。
【０１２６】
以下、無線通信基地局共用化装置の動作について説明する。
【０１２７】
＜メインシステムの送信過程＞
メインシステム２２の送信信号ＴＸ１は、第３のデュプレクサ２２２を通じて第１のマジックＴ８０２の第１のポートに入力される。
【０１２８】
第１のマジックＴ８０２は、第１のポートに受信された信号を第２及び第３のポートに分配し、これら信号は１８０度の位相差で出力される。
【０１２９】
第３のポートから出力された信号は、第２の可変帯域通過フィルタ８０８を通して第２のマジックＴ８０４の第７のポートに入力される。
【０１３０】
第２のポートから出力された信号は、第１の移相器８１２を通して９０度位相が変わり、第１の可変帯域通過フィルタ８０６を通過した後に、再び第２の移相器８１４を通して９０度位相が変わってから第２のマジックＴ８０４の第６のポートに入力される。
【０１３１】
それによって、第２のマジックＴ８０４の第６及び第７のポートを介して受信される信号は、同一の位相を有する。
【０１３２】
このように、第６及び第７のポートに位相が同一の信号が受信されると、これら信号は合成されて第８のポートを介して出力され、アンテナを通じて放射される。
【０１３３】
＜メインシステムの受信過程＞
第２のマジックＴ８０４は、アンテナから受信された信号を第８のポートを介して受信し、上記信号を同位相で第６及び第７のポートに分配する。
【０１３４】
第７のポートから出力された信号は、第２の可変帯域通過フィルタ８０８を通過せずに全反射されて再び第７のポートにフィードバックされる。
【０１３５】
第６のポートから出力された信号は、第２の移相器８１４を通して９０度位相が変わり、第１の可変帯域通過フィルタ８０６から全反射されて第２の移相器８１４を通して９０度位相が変わり、すなわち最初より１８０度変わって第６のポートにフィードバックされる。
【０１３６】
そのため、第２のマジックＴ８０４は、第６及び第７のポートを介して１８０度の位相差を有する信号を受信し、これら信号を合成して第５のポートを介して出力する。
【０１３７】
第５のポートから出力される信号は、第４のデュプレクサ８２２を通過し、分配器８２４を介して２つの信号に分配される。
【０１３８】
分配器８２４から出力された信号のうち、一つは追加システム２６に提供され、他の一つは受信フィルタ８２６を通して第１のマジックＴ８０２の第４のポートに提供される。
【０１３９】
第４のポートに受信された信号は、第２及び第３のポートに分配されて同位相の信号として出力される。
【０１４０】
第３のポートから出力された信号は、第２の可変帯域通過フィルタ８０８を通過せずに全反射されて再び第３のポートにフィードバックされる。
【０１４１】
第２のポートから出力された信号は、第１の移相器８１２を通して９０度位相が変わるが、第１の可変帯域通過フィルタ８０６から全反射されて第１の移相器８１２を通して９０度位相が変わってから第２のポートにフィードバックされる。
【０１４２】
そのため、第１のマジックＴ８０２は、第２及び第３のポートを介して１８０度の位相差を有する信号を受信し、これら信号を合成して第１のポートを介して出力する。
【０１４３】
第１のポートから出力される信号は、第３のデュプレクサ２２２を通してメインシステム２２の受信端に提供される。
【０１４４】
＜追加システムの送信過程＞
追加システム２６から出力される送信信号ＴＸ２は、第４のデュプレクサ８２２を通して第２のマジックＴ８０４の第５のポートに入力される。
【０１４５】
第２のマジックＴ８０４は、受信された信号を第６及び第７のポートに分配し、これら信号は１８０度の位相差で出力される。
【０１４６】
第７のポートから出力された信号は、第２の可変帯域通過フィルタ８０８を通過せずに全反射され、再び第７のポートにフィードバックされる。
【０１４７】
第６のポートから出力された信号は、第２の移相器８１４を通して９０度位相が可変されているが、第１の可変帯域通過フィルタ８０６から全反射され、再び第２の移相器８１４を通して位相が９０度変わって第６のポートに入力される。
【０１４８】
それによって、第２のマジックＴ８０４は、第６及び第７のポートを介して同位相の信号を受信し、それらを合成して第８のポートを介して出力する。この第８のポートから出力される信号は、アンテナを介して放射される。
【０１４９】
＜追加システムの受信過程＞
第２のマジックＴ８０４は、アンテナからの信号を第８のポートを介して受信し、上記信号を同位相で第６及び第７のポートに分配する。
【０１５０】
第７のポートから出力された信号は、第２の可変帯域通過フィルタ８０８を通過せずに全反射されて再び第７のポートにフィードバックされる。
【０１５１】
第６のポートから出力された信号は、第２の移相器８１４を通して９０度位相が変わるが、第１の可変帯域通過フィルタ８０６から全反射されて第２の移相器８１４通して９０度位相が変わってから第６のポートにフィードバックされる。
【０１５２】
そのため、第２のマジックＴ８０４は、第６及び第７のポートを介して１８０度の位相差を有する信号を受信し、これら信号を合成して第５のポートを介して出力する。
【０１５３】
第５のポートから出力された信号は、第４のデュプレクサ８２２を通過し、分配器８２４を介して２つの信号に分配される。この分配器８２４から出力された信号のうち、一つは追加システム２６の受信端に入力される。
【０１５４】
一方、第１のマジックＴ８０２を通してメインシステム２２から送信信号ＴＸ１を出力する場合に、理論的には信号の反射が発生しない。しかしながら、実際には、第４のポートを介して出力される送信信号ＴＸ１がいくらか存在する。これを防止するために、図９に示すように、受信フィルタ８２６と第１のマジックＴ８０２の第４のポートとの間にアイソレーション機能を有するサーキュレータ(circulator)をさらに追加して構成することができる。
【０１５５】
一方、上記した構成において、第１及び第２の可変帯域通過フィルタ８０６，８０８は、周波数帯域固定フィルタでなく、可変フィルタで構成し、一つの基地局システムで該当サービス周波数帯域を分割してメインシステムで、該当送信周波数帯域を追加システムと分割して使用する場合に適切に適用可能である。
【０１５６】
図１０は、本発明の第５実施形態を示すブロック構成図である。図１０に示すように、本発明の第４実施形態による無線通信基地局共用化装置９０は、第３のデュプレクサ２２２を含むメインシステム２２と追加システム２６とのアンテナを共用化するための構成を有する。
【０１５７】
この基地局共用化装置９０は、第４のポートを介して第３のデュプレクサ２２２から受信される送信信号を同位相で分配して第３及び第２のポートに出力し、第１のポートを介して受信される信号を分配して相互に異なる位相差で出力する第１のマジックＴ９０２と、第１のマジックＴ９０２の第３のポートから出力される信号を受信してその位相を可変して出力する第１の移相器９１２と、第１の移相器９１２の出力信号をフィルタリングして出力する第２の可変帯域通過フィルタ９０８と、第１のマジックＴ９０２の第２のポートから受信される信号をフィルタリングする第１の可変帯域通過フィルタ９０６と、第１の可変帯域通過フィルタ９０６の出力信号の位相を可変する第２の移相器９１４と、第２の移相器９１４と第２の可変帯域通過フィルタ９０８から出力される信号を第６及び第７のポートを介して受信し、これを合成して出力する第２のマジックＴ９０４と、第２のマジックＴ９０４の第５のポートと追加システム２６との間に接続される第４のデュプレクサ９２２と、第４のデュプレクサ９２２内の受信部ＲＸと追加システム２６との間に接続され、第４のデュプレクサ９２２の受信部ＲＸから受信された信号を分配する分配器９２４と、この分配器９２４の一側から信号を受信してフィルタリングし、第１のマジックＴ９０２の第１のポートに印加する受信フィルタ９２６とを含む。
【０１５８】
アンテナは、第２のマジックＴ９０４の第８のポートに接続される。
【０１５９】
第３及び第４のデュプレクサ２２２，９２２内の受信部ＲＸ及び受信フィルタ９２６は、メインシステム２２及び追加システム２６の受信周波数ともを通過させる受信フィルタで構成され、あるいはメインシステム２２及び追加システム２６が属する特定帯域(例えば、ＰＣＳ帯域)の受信周波数帯域を通過するための全帯域受信フィルタで構成されることができる。
【０１６０】
第１及び第２の可変帯域通過フィルタ９０６，９０８は、メインシステム２２の送信周波数帯域のみを通過させるフィルタで構成される。
【０１６１】
メインシステム２２が追加システム２６と位置を変えると、第１及び第２の可変帯域通過フィルタ９０６，９０８は、追加システム２６の送受信周波数のみを通過させるフィルタで構成することも可能である。
【０１６２】
追加システム２６は、第４のデュプレクサ９２２のようなフィルタが既に設けられていると、第４のデュプレクサ９２２の構成を省略することができる。
【０１６３】
以下、無線通信基地局共用化装置の動作について説明する。
【０１６４】
＜メインシステムの送信過程＞
メインシステム２２の送信信号ＴＸ１は、第３のデュプレクサ２２２を通じて第１のマジックＴ９０２の第４のポートに入力される。
【０１６５】
第１のマジックＴ９０２は、第４のポートに受信された信号を第２及び第３のポートに分配し、これら信号は同位相で出力される。
【０１６６】
第３のポートから出力された信号は、第１の移相器９１２を通じて９０度位相が変わり、第２の可変帯域通過フィルタ９０８を通して第２のマジックＴ９０４の第７のポートに入力される。
【０１６７】
第２のポートから出力された信号は、第１の可変帯域通過フィルタ９０６を通過した後に、再び第２の移相器９１４を通して９０度位相が変わってから第２のマジックＴ９０４の第６のポートに入力される。
【０１６８】
それによって、第２のマジックＴ９０４の第６及び第７のポートを介して受信される信号は、同一の位相を有する。
【０１６９】
このように、第６及び第７のポートに位相が同一の信号が受信されると、これら信号は合成されて第８のポートを介して出力され、アンテナを通じて放射される。
【０１７０】
＜メインシステムの受信過程＞
第２のマジックＴ９０４は、アンテナからの信号を第８のポートを介して受信し、上記信号を同位相で第６及び第７のポートに分配する。
【０１７１】
第７のポートから出力された信号は、第２の可変帯域通過フィルタ９０８を通過せずに全反射されて再び第７のポートにフィードバックされる。
【０１７２】
第６のポートから出力された信号は、第２の移相器９１４を通して９０度位相が変わり、また第１の可変帯域通過フィルタ９０６から全反射されて第２の移相器９１４で９０度位相が変わり、すなわち最初より１８０度変わって第６のポートにフィードバックされる。
【０１７３】
そのため、第２のマジックＴ９０４は、第６及び第７のポートを介して１８０度の位相差を有する信号を受信し、これら信号を合成して第５のポートを介して出力する。
【０１７４】
第５のポートから出力される信号は、第４のデュプレクサ９２２を通過し、分配器９２４を介して２つの信号に分配される。
【０１７５】
分配器９２４から出力された信号のうち、一つは追加システム２６に提供され、他の一つは受信フィルタ９２６を介して第１のマジックＴ９０２の第１のポートに提供される。
【０１７６】
第１のポートに受信された信号は、第２及び第３のポートに分配されて相互に１８０度の位相差で出力される。
【０１７７】
第２のポートから出力された信号は、第１の可変帯域通過フィルタ９０６を通過せずに全反射されて再び第２のポートにフィードバックされる。
【０１７８】
第３のポートから出力された信号は、第１の移相器９１２を通して９０度位相が変わるが、第１の可変帯域通過フィルタ９０８から全反射されて第１の移相器９１２を通して９０度位相が変わってから第３のポートにフィードバックされる。
【０１７９】
そのため、第１のマジックＴ９０２は、第２及び第３のポートを介して同位相を有する信号を受信し、これら信号を合成して第４のポートを介して出力する。
【０１８０】
第４のポートから出力される信号は、第３のデュプレクサ２２２を通してメインシステム２２の受信端に提供される。
【０１８１】
＜追加システムの送信過程＞
追加システム２６から出力される送信信号ＴＸ２は、第４のデュプレクサ９２２を通して第２のマジックＴ９０４の第５のポートに入力される。
【０１８２】
第２のマジックＴ９０４は、受信された信号を第６及び第７のポートに分配し、これらは１８０度の位相差で出力される。
【０１８３】
第７のポートから出力された信号は、第２の可変帯域通過フィルタ９０８を通過せずに全反射され、再び第７のポートにフィードバックされる。
【０１８４】
第６のポートから出力された信号は、第２の移相器９１４を通して９０度位相が可変されているが、第１の可変帯域通過フィルタ９０６から全反射され、再び第２の移相器９１４で位相が９０度変わって第６のポートに入力される。
【０１８５】
それによって、第２のマジックＴ９０４は、第６及び第７のポートを介して同位相の信号を受信し、それらを合成して第８のポートに出力する。この出力される信号は、アンテナを介して放射される。
【０１８６】
＜追加システムの受信過程＞
第２のマジックＴ９０４は、アンテナからの信号を第８のポートを介して受信し、この信号を第６及び第７のポートに同位相で分配して出力する。
【０１８７】
第７のポートから出力された信号は、第２の可変帯域通過フィルタ９０８を通過せずに全反射されて再び第７のポートにフィードバックされる。
【０１８８】
第６のポートから出力された信号は、第２の移相器９１４を通して９０度位相が変わるが、第１の可変帯域通過フィルタ９０６から全反射されて第２の移相器９１４を通して９０度位相が変わってから第６のポートにフィードバックされる。
【０１８９】
そのため、第２のマジックＴ９０４は、第６及び第７のポートを介して１８０度の位相差を有する信号を受信し、これら信号を合成して第５のポートを介して出力する。
【０１９０】
第５のポートから出力された信号は、第４のデュプレクサ９２２を通過し、分配器９２４を介して２つの信号に分配される。この分配器９２４から出力された信号のうち、一つは追加システム２６の受信端に入力される。
【０１９１】
一方、第１のマジックＴ９０２を通してメインシステム２２から送信信号ＴＸ１を出力する場合に、理論的には信号の反射が発生しない。しかしながら、実際には、第４のポートを介して出力される送信信号ＴＸ１がいくらか存在する。これを防止するために、図１１に示すように、受信フィルタ９２６と第１のマジックＴ９０２の第１のポートとの間にアイソレーション機能を有するサーキュレータをさらに追加して構成することができる。
【０１９２】
上記した構成において、第１及び第２の可変帯域通過フィルタ９０６，９０８は、周波数帯域の固定フィルタでなく、可変フィルタで構成し、一つの基地局システムで該当サービス周波数帯域を分割することによって、メインシステムで該当送信周波数帯域を追加システムと分割して使用する場合に適切に適用可能である。
【０１９３】
図１３は、本発明の第６実施形態による無線通信基地局共用化装置のブロック構成図である。図１３に示す第６実施形態による無線通信基地局共用化装置は、追加システム２６とともにメインシステム２８でも別のデュプレクサを備えなくても良い。これは、本発明の特徴によって、一つの基地局システムで該当サービス周波数帯域を分割してメインシステム２８と追加システム２６で使用可能にすることによって、メインシステム２８と追加システム２６の基本サービス周波数帯域が同一なためである。
【０１９４】
この構成をより詳しく説明すれば、図１３に示すように、本発明の第６実施形態による無線通信基地局共用化装置７０は、メインシステム２８と追加システム２６とのアンテナを共用化するための構成を有する。
【０１９５】
この基地局共用化装置７０は、第１のポートを介してメインシステム２８から受信される信号を分配し、これを相互に異なる位相差で出力する第１のハイブリッドカプラ７０２と、第１のハイブリッドカプラ７０２の第２のポートから受信された信号をフィルタリングして出力する第１の可変帯域通過フィルタ７０６と、第１のハイブリッドカプラ７０２の第３のポートから受信された信号をフィルタリングして出力する第２の可変帯域通過フィルタ７０８と、第１及び第２の可変帯域通過フィルタ７０６，７０８から出力される信号を第６及び第７のポートを介して受信し、これを合成して第８のポートに出力し、追加システム２６の送信信号を第５のポートに受信する第２のハイブリッドカプラ７０４と、第２のハイブリッドカプラ７０４の第８のポートは送信部ＴＸに接続され、この送信部ＴＸから受信される送信信号をアンテナを介して提供するデュプレクサ７２２と、このデュプレクサ７２２の受信部ＲＸから受信された信号を分配し、それぞれメインシステム２８と追加システム２６に提供する分配器７２４とを含む。
【０１９６】
以下、無線通信基地局共用化装置の動作について説明する。
【０１９７】
＜メインシステムの送信過程＞
第１のハイブリッドカプラ７０２は、メインシステム２８からの送信信号ＴＸが第１のポートを介して受信されると、その信号を第２及び第３のポートに分配し、その位相は、第２のポートには９０度、第３のポートには１８０度に可変される。すなわち、上記信号は、９０度の位相差で出力される。
【０１９８】
第２及び第３のポートから出力される信号は、メインシステム２８の送信信号ＴＸのみを通過させる第１及び第２の可変帯域通過フィルタ７０６，７０８を介して第２のハイブリッドカプラ７０４の第６及び第７のポートに入力される。
【０１９９】
第２のハイブリッドカプラ７０４は、第６及び第７のポートを介して受信された信号を合成して第８のポートを介してデュプレクサ７２２に出力する。この信号は、アンテナを介して放射される。
【０２００】
＜メインシステムの受信過程＞
アンテナから受信された信号は、デュプレクサ７２２の受信部ＲＸを介してフィルタリングされ、分配器７２４を通じて分配されて出力される。この分配器７２４から出力された信号のうち、一つは追加システム２６に提供されるが、他の一つはメインシステム２８に提供されて受信される。
【０２０１】
＜追加システムの送信過程＞
追加システム２６の送信信号ＴＸは、第２のハイブリッドカプラ７０４の第５のポートに入力される。第５のポートに受信された信号は、第６及び第７のポートに分配される。このとき、その位相は、第６のポートには９０度、第７のポートには１８０度に可変される。すなわち、上記信号は、９０度の位相差で出力される。
【０２０２】
第６及び第７のポートから出力された信号は、第１及び第２の可変帯域通過フィルタ７０６，７０８から全反射されて第６及び第７のポートにフィードバックされる。
【０２０３】
このフィードバックされた信号は、合成されて第８のポートを介して出力される。この信号は、デュプレクサ７２２を通してアンテナを介して放射される。
【０２０４】
＜追加システムの受信過程＞
アンテナから受信された信号は、デュプレクサ７２２の受信部ＲＸを介してフィルタリングされ、分配器７２４を通じて分配されて出力される。この出力された信号のうち、一つは追加システム２６に受信される。  
【０２０５】
本発明は、上記のような実施形態による構成及び動作からなり、その具体的な実施形態について説明したが、本発明の範囲を外れない限り多様な変更が実施されることができる。
【０２０６】
例えば、上記の説明では、送信及び/又は受信周波数帯域を可変的にフィルタリングするための第１及び第２の可変デュプレクサ及び第１及び第２の可変帯域通過フィルタを使用した。しかしながら、これらは、ＬＰＦ(Low  Pass  Filter)及び/又はＨＰＦ(High  Pass  Filter)やこれらの組合せにも代替可能であることはもちろんである。
【０２０７】
また、図６乃至図１１の構成において、分配器６２４，８２４，９２４は、第４のデュプレクサ６２２，８２２，９２２内の受信部ＲＸと追加システム２６との間に接続され、第４のデュプレクサ６２２，８２２，９２２の受信部ＲＸの出力信号を分配して一側の信号は受信フィルタ６２６，８２６，９２６に転送する。この信号は、メインシステム２２の受信信号として提供されるように構成した。しかしながら、これは、より向上したフィルタリング性能のための構成であり、本発明の変形例では、上記の分配器６２４，８２４，９２４からの分配された出力のうち、一側が受信フィルタ６２６，８２６，９２６を経ることなく、直接にメインシステム２２の第３のデュプレクサ２２２に提供されるように構成することもできる。
【０２０８】
また、図１３による第６実施形態の基地局共用化装置の構成では、ハイブリッドカプラが採用される例を示したが、その他にも本発明の第２実施形態によるマジックＴを使用する構成を採用することもできる。
【０２０９】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【０２１０】
【図１Ａ】従来のアンテナ共用方法を示すブロック構成図である。
【図１Ｂ】従来のアンテナ共用方法を示すブロック構成図である。
【図１Ｃ】従来のアンテナ共用方法を示すブロック構成図である。
【図２】本発明の第１実施形態による無線通信基地局共用化装置を示すブロック構成図である。
【図３】図２に示すハイブリッドカプラの動作を示す図である。
【図４】本発明の第２実施形態による無線通信基地局共用化装置を示すブロック構成図である。
【図５】図４に示すマジックＴの動作を示す図である。
【図６】本発明の第３実施形態による無線通信基地局共用化装置を示すブロック構成図である。
【図７】図６において、サーキュレータを追加した無線通信基地局共用化装置を示すブロック構成図である。
【図８】本発明の第４実施形態による無線通信基地局共用化装置を示すブロック構成図である。
【図９】図８において、サーキュレータを追加した無線通信基地局共用化装置を示すブロック構成図である。
【図１０】本発明の第５実施形態による無線通信基地局共用化装置を示すブロック構成図である。
【図１１】図１０において、サーキュレータを追加した無線通信基地局共用化装置を示すブロック構成図である。
【図１２Ａ】周波数帯域を分割してシステムを追加する場合に周波数帯域の可変状態を示す図である。
【図１２Ｂ】周波数帯域を分割してシステムを追加する場合に周波数帯域の可変状態を示す図である。
【図１３】本発明の第６実施形態による無線通信基地局共用化装置を示すブロック構成図である。
【符号の説明】
【０２１１】
２０２  第１のハイブリッドカプラ
２０４  第２のハイブリッドカプラ
２０６  第１の可変デュプレクサ
２０８  第２の可変デュプレクサ
【図１Ａ】
2009528759.tif 000003
【図１Ｂ】
2009528759.tif 000004
【図１Ｃ】
2009528759.tif 000005
【図２】
2009528759.tif 000006
【図３】
2009528759.tif 000007
【図４】
2009528759.tif 000008
【図５】
2009528759.tif 000009
【図６】
2009528759.tif 000010
【図７】
2009528759.tif 000011
【図８】
2009528759.tif 000012
【図９】
2009528759.tif 000013
【図１０】
2009528759.tif 000014
【図１１】
2009528759.tif 000015
【図１２Ａ】
2009528759.tif 000016
【図１２Ｂ】
2009528759.tif 000017
【図１３】
2009528759.tif 000018
【国際調査報告】
2009528759.tif 000019
2009528759.tif 000020